(57)【要約】【課題】道路や公園等において多数個を並べて敷設することで、雨水などの水分をできるだけ長い間保存して、晴天時に、徐々に保存水分を蒸発散させることができる地面敷設用装飾体を提供することを目的としている。【解決手段】透水性の敷設本体１と、この敷設本体を収容する枠体２とを有する地面敷設用装飾体Ａにあって、枠体は、敷設本体の外形状に合わせて、上部に該敷設本体が嵌り得るように設けた開口部４と、該開口部の下側に設けて敷設本体を収容する内容積を有した空間部５と、該空間部の下部に設けた底部６と、この底部から空間部にわたって高さ方向に設けた貯水部材７とを備えさせ、敷設本体は、貯水部材にその下部を支承させて、該敷設本体を浸透した水分を貯水部材へ導入させる。【選択図】図１
2005126974.tif 000002
【特許請求の範囲】
【請求項１】
透水性の敷設本体と、この敷設本体を収容する枠体とを有する地面敷設用装飾体にあって、
前記枠体は、前記敷設本体の外形状に合わせて、上部に該敷設本体が嵌り得るように設けた開口部と、該開口部の下側に設けて前記敷設本体を収容する内容積を有した空間部と、該空間部の下部に設けた底部と、この底部から前記空間部にわたって高さ方向に設けた貯水部材とを備えさせ、
前記敷設本体は、前記貯水部材にその下部を支承させて、該敷設本体を浸透した水分を前記貯水部材へ導入させる、および該貯水部材に蓄溜させた水をこの敷設本体に導いて大気へ放散させることを特徴とする地面敷設用装飾体。
【請求項２】
貯水部材は、複数のマス目状に区画させた小室を設けたことを特徴とする請求項１記載の地面敷設用装飾体。
【請求項３】
貯水部材は、複数のマス目状に区画させた小室を設け、これら小室は、該小室に設けた通水孔により連通させたことを特徴とする請求項１記載の地面敷設用装飾体。
【請求項４】
貯水部材の底部は、該底部の中心部へ向かって傾斜する斜面を設けて、前記貯水部材における小室の通水孔から流入する水を前記底部の中心部へ向かって集めるように形成させたことを特徴とする請求項１記載の地面敷設用装飾体。
【発明の詳細な説明】
【技術分野】
【０００１】
本発明は、道路や公園等において多数個を並べて敷設することで、雨水などの水分をできるだけ長い間保存して、晴天時に、徐々に保存水分を蒸発散させることができる地面敷設用装飾体に関する。
【背景技術】
【０００２】
従来、歩道や車道，公園，屋上などの平面などに敷設して景観を向上させたり、透水性を持たせて表面の水分や水膜をできるだけ早く除去するための建材として、透水性舗装ブロックが知られている（例えば、特許文献１参照。）。
【０００３】
【特許文献１】特開２００１−３１７００３号公報
【０００４】
このものは、地面の上などに並べ設けることで、雨水などの水分はこのブロック内部を浸透して、その下の土などに含浸させることができるので、表面の水分の除去が行える利点を有するものである。
しかしながら、前記したように、雨水はこのブロックを浸透して全て下部に流失してしまうので、晴天となったときは、該ブロック内に残存しているわずかの水分が蒸発によって大気へ放散されるだけであるため、このブロックを敷き詰めた平面部の十分な温度上昇を緩和させることができないものであった。
【発明の開示】
【発明が解決しようとする課題】
【０００５】
本発明は前記した問題点を解決するためになされたもので、透水性の敷設本体と、この敷設本体を収容する枠体とを有する地面敷設用装飾体にあって、枠体は、敷設本体の外形状に合わせて、上部に該敷設本体が嵌り得るように設けた開口部と、該開口部の下側に設けて敷設本体を収容する内容積を有した空間部と、該空間部の下部に設けた底部と、この底部から空間部にわたって高さ方向に設けた貯水部材とを備えさせ、敷設本体は、貯水部材にその下部を支承させて、該敷設本体を浸透した水分を貯水部材へ導入させることにより、道路や公園等において多数個を並べて敷設することで、雨水などの水分をできるだけ長い間保存して、晴天時に、徐々に保存水分を蒸発散させることができる地面敷設用装飾体を提供することを目的としている。
【課題を解決するための手段】
【０００６】
前記した目的を達成するための本発明の手段は、
透水性の敷設本体と、この敷設本体を収容する枠体とを有する地面敷設用装飾体にあって、
前記枠体は、前記敷設本体の外形状に合わせて、上部に該敷設本体が嵌り得るように設けた開口部と、該開口部の下側に設けて前記敷設本体を収容する内容積を有した空間部と、該空間部の下部に設けた底部と、この底部から前記空間部にわたって高さ方向に設けた貯水部材とを備えさせ、
前記敷設本体は、前記貯水部材にその下部を支承させて、該敷設本体を浸透した水分を前記貯水部材へ導入させる、および該貯水部材に蓄溜させた水をこの敷設本体に導いて大気へ放散させる地面敷設用装飾体。
【０００７】
貯水部材は、複数のマス目状に区画させた小室を設ける。
【０００８】
貯水部材は、複数のマス目状に区画させた小室を設け、これら小室は、該小室に設けた通水孔により連通させる。
【０００９】
貯水部材の底部は、該底部の中心部へ向かって傾斜する斜面を設けて、前記貯水部材における小室の通水孔から流入する水を前記底部の中心部へ向かって集めるように形成させる。
【発明の効果】
【００１０】
前述のように構成される本発明は、道路や公園等において多数個を並べて敷設することで、雨水などの水分をできるだけ長い間保存して、晴天時に、徐々に保存水分を蒸発散させることができて、敷設面の温度上昇をできるだけ抑えることができる格別な効果を奏するものである。
【発明を実施するための最良の形態】
【００１１】
次に、本発明に関する地面敷設用装飾体の一実施例を図面に基づいて説明する。
図３および図４〜図６においてＡは地面敷設用装飾体で、透水性の敷設本体１と、この敷設本体１を収容する枠体２とを有する。
【００１２】
そして、前記した敷設本体１は、慣用のレンガ等のように原料となる土や砂などを練り混ぜて、所定の型枠内へ充填して成形し、更に、焼成炉において焼き上げたものが用いられるもので、前記原料は、例えば、土木建設工事などにおいて排出される掘削残土などの産業廃棄物を利用することで資源のリサイクル化も果たせる。
【００１３】
更に、この敷設本体１は、透水性を有しているもので、該敷設本体１の内部に多数の気孔や空隙等の気体や水分の流路３を有するように成形してあって、この敷設本体１の表面や裏面，側面と内部とがその全体において連通して、表面から裏面・側面へ、裏面から表面・側面へあるいは側面から表面・裏面へと任意に水分と気体とが流通し得る構成となっている。
したがって、この流路３は、敷設本体１の一側面の外部から他側面の外部へわたって一連的に水や気体が流通できる。
【００１４】
なお、透水性を有するものであれば、透水性コンクリートや透水性セラミックなど任意の成形品を用いることができる。
また、この敷設本体１における外観的形態は、図１に示すように、長方体に形成することが、多数個を並べて敷設する作業において効率よく良好に行えるものであるが、形態は、この長方体に限定されない。
【００１５】
前記した枠体２は、その内部に敷設本体１をその側周囲においてできるだけ隙間なく収容するもので、合成樹脂等の堅牢でかつ水密性を有する素材により成形してある。
そして、この枠体２は、敷設本体１の外形状（例えば、長方体の場合には横辺と縦辺の長さ）に合わせて、その上部に該敷設本体１が嵌り得るように設けた開口部４と、該開口部４の下側に設けて敷設本体１を収容する内容積（例えば、長方体の場合には高さ方向の寸法の一部または全部）を有した空間部５と、該空間部５の下部に設けて水漏れなどをしない底部６と、この底部６から該底部６の上方の空間部５にわたって高さ方向に設けた貯水部材７とを備える。該貯水部材７は、空間部５の下部に所定容積を有する貯水槽となるように構成される。
【００１６】
前記した貯水部材７は、敷設本体１の下部（下面）を該貯水部材７の上部により支承させて、敷設本体１を浸透した水分をその重力によりこの貯水部材７へ導入させて蓄溜する。
この貯水部材７は、図２〜図４に示すように、複数のマス目状に区画させた小室８を設けてある。貯水部材７を多数の小室８に細分化させることで、敷設本体１の下部（下面）への当接面積が増大すると共に均等な当接状態が得られ、該敷設本体１の安定的な支承力が得られる。
なお、該貯水部材７は、図５に示すように、小室８を設けない一室に形成することもできるもので、小室８を設ける場合に比べて貯水容積が増大するものであり、敷設本体１の支承にあっては、貯水部材７の上部外周部に係止段部９を付設することで行われる。この係止段部９は、小室８を設けた場合であっても、設けることはできるものである。
【００１７】
更に、この貯水部材７は、複数のマス目状に区画させた小室８に一個または複数個の通水孔１０を設けてあって、複数に区画された小室８，８…は、該通水孔１０により相互に連通させてある。
【００１８】
また、貯水部材７の底部６は、図４に示すように、該底部６の中心部へ向かって所定角度θに下向き傾斜する斜面１１を設けて、貯水部材７における小室８の通水孔１０から流入する水を底部６の中心部へ向かって集めるように形成させてある。
すなわち、敷設本体１の上部から該敷設本体１内を浸透・通過した水は、その自重により、この敷設本体１の下面や側部より滴下して貯水部材７内へ溜まるもので、貯水部材７における周部に滴下した水は通水孔１０を通って底部６の中央部に集まることで、効率的な集水が行われる。
また、貯水部材７に蓄溜させた水を、この敷設本体１に導いて大気へ放散させるものである。
なお、図５に示すように、貯水部材７に小室８を設けない場合であっても、図示してないが、底部６の中心部へ向かって所定角度に下向き傾斜する斜面を設けてもよい。
【００１９】
したがって、前記のように構成される本発明実施例の地面敷設用装飾体Ａは、以下に述べる作用を奏する。
例えば、図６に示すような、歩道１３に本発明実施例の地面敷設用装飾体Ａを敷設するときは、あらかじめ、路床１４を整地や裏込め材，路床材などによる仕上げ施工を行い、枠体２のみを路床１４面に並び設ける、あるいは、枠体１の空間部５へ敷設本体１を挿入して貯水部材７の上縁部に、この敷設本体１を安定的に支承させるた状態で、路床１４面に並び設ける。
なお、枠体２のみを路床１４面に並び設けた場合には、この枠体１の空間部５へ敷設本体１を挿入して貯水部材７の上縁部にこの敷設本体１を安定的に支承させる。
また、各枠体２，２…は、必要に応じて路床１４へ一部を埋設するなどの固定手段を施す。
【００２０】
これにより、図６に示すように、歩道１３には、地面敷設用装飾体Ａが整列した状態で敷設されるもので、歩行者等の往来にあっては、その荷重は敷設本体１および枠体２が受けて、歩行等の通行に支障を来さない。
【００２１】
この状態で、雨が降ると、この歩道１３に落ちた雨は、地面敷設用装飾体Ａにおける敷設本体１に溜まろうとするが、該敷設本体１は透水性を有するため、この敷設本体１の上面の水や、隣り合う各敷設本体１，１…間の隙間へ入った水は、直ちに、この敷設本体１の内部へしみ込んでいく。
すると、この水は、敷設本体１内の多数の気孔や空隙等の流路３に一旦溜まる。更に、敷設本体１の上面等からこの敷設本体１内へ水が浸透して、流路３が飽和状態となると、この水は、その自重により敷設本体１の下面から貯水部材７へしたたり落ちて該貯水部材７内へ溜まり保存される。なお、貯水部材７内への貯水は、人工的な散水によってしたたり落ちるものでもよい。
【００２２】
したがって、晴天時は、この貯水部材７内へ溜まった水は、太陽の敷設本体１（歩道全体）への照射によって次第に温められ、ついには蒸発して敷設本体１の流路３へ再び入り込み、該敷設本体１を湿らせるので、この保水によって水分の昇華作用を行い、太陽によって熱せられた歩道の温度を低下させることができ、路面の温度上昇を可及的緩和することができる。また、敷設本体１の温度低下により、地面への温度伝達ができるだけ抑えられ、かつ、昼間の太陽の熱射は地面深層まで達することがないので、現今、都市部などで大きな問題化しているヒートアイランド現象が可及的軽減され、外気温を低下させることができて過ごしやすい住環境が得られる。また、付近の樹木への水分補給にもなる。
【００２３】
なお、枠体２における貯水部材７の底部６に該底部６の中心部へ向かって傾斜する斜面１１を設けておけば、敷設本体１から滴下した水は、底部６の中心部に集まることができる。
また、貯水部材７において、複数のマス目状に区画させた小室８，８…を設けて、これら小室８，８…に通水孔１０を設けておけば、各小室８，８…の通水孔１０によって連通されて、斜面１１の形成構成と相俟って、貯水部材７における小室８，８…の通水孔１０を流動する水を底部６の中心部へ向かって集めることができる。
【図面の簡単な説明】
【００２４】
【図１】本発明に係る地面敷設用装飾体の敷設本体の一実施例を示す斜視図である。
【図２】本発明に係る地面敷設用装飾体の枠体の一実施例を示す斜視図である。
【図３】本発明に係る地面敷設用装飾体を示す縦断正面図である。
【図４】図３における地面敷設用装飾体の貯水部材に通水孔および斜面を設けた例を示すもので、（ａ）は縦断正面図、（ｂ）は縦断側面図である。
【図５】図１における地面敷設用装飾体の貯水部材に小室を設けない例を示す縦断正面図である。
【図６】図１における地面敷設用装飾体の敷設状態を示す要部の斜視図である。
【符号の説明】
【００２５】
Ａ…地面敷設用装飾体．１…敷設本体．２…枠体．４…開口部．５…空間部．６…底部．７…貯水部材．８…小室．１０…通水孔．１１…斜面．
【図１】
2005126974.tif 000003
【図２】
2005126974.tif 000004
【図３】
2005126974.tif 000005
【図４】
2005126974.tif 000006
【図５】
2005126974.tif 000007
【図６】
2005126974.tif 000008